(57)【要約】  【課題】    皮膚を傷つけることなく適度な刺激を与えることができ、専門技術を持たない人でも気軽に使用できる皮膚刺激具を提供する。  【解決手段】    開口面を有するケース１０に、先端を丸めた多数の突起５０を有する突起板３０を、該突起５０がケースの開口面を向くように嵌め込み、上記ケースの内部に設けられた、樹脂製の板状部材を屈曲させて成る複数の緩衝材２０によって、上記突起板３０を上記開口部に向けて付勢する。上記緩衝材２０により、突起５０を身体に押し当てた際の衝撃が十分に緩和されると共に、緩衝材２０の適度な反発力により皮膚に穏やかな刺激を加えることができる。【選択図】  図１
2005143826.tif 000002
【特許請求の範囲】
【請求項１】
a)開口面を有するケースと、
b)板状の基台、及び該基台の片面に設けられた多数の突起を備え、該突起を上記開口面に向けた状態で一定範囲だけ摺動可能なように上記ケースに保持される突起板と、
c)上記ケースに内装され、上記突起板をケースの開口面に向かって付勢する、樹脂製あるいは金属製の板状部材を屈曲させて成る一つ以上の緩衝材と、
を備えることを特徴とする皮膚刺激具。
【請求項２】
a)開口面を有するケースと、
b)板状の基台、及び該基台の片面に設けられた多数の突起を備え、該突起を上記開口面に向けた状態で一定範囲だけ摺動可能なように上記ケースに保持される突起板と、
c)上記ケースに内装され、上記突起板をケースの開口面に向かって付勢する、球状や扁平球状あるいはブロック状の弾性を備えた樹脂から成る一つ以上の緩衝材と、
を備えることを特徴とする皮膚刺激具。
【請求項３】
上記ケースに電池及びモータを内装し、該モータの回転により上記突起板を振動あるいは上下動させることを特徴とする請求項１又は２に記載の皮膚刺激具。
【請求項４】
a)表面に多数の突起を備えた一つ以上のローラーと、
b)該ローラーを回動可能に保持するケースと、
を備えることを特徴とするローラー式皮膚刺激具。
【請求項５】
上記突起が、先端を丸めた弾力のある細い毛様体を複数本ずつ束にしたものであることを特徴とする請求項１〜４のいずれかに記載の皮膚刺激具。
【請求項６】
上記突起が、先端を丸めた円柱状の突起であることを特徴とする請求項１〜４のいずれかに記載の皮膚刺激具。
【請求項７】
上記突起が、先端を丸めた円錐状又は角錐状の突起であることを特徴とする請求項１〜４のいずれかに記載の皮膚刺激具。
【請求項８】
上記ケースに棒状のハンドルを取り付けたことを特徴とする請求項１〜７のいずれかに記載の皮膚刺激具。
【発明の詳細な説明】
【技術分野】
【０００１】
本発明は、多数の突起によって皮膚を刺激することにより、種々の疾患の改善・予防及び健康の維持・増進を図るための皮膚刺激具に関する。
【背景技術】
【０００２】
鍼治療は、金属製の細い針を経穴（ツボ）になどに刺入し、皮膚に物理的な刺激を加えることによって、人体の免疫機能を向上させ、自然治癒力を高める方法であり、病気の治療のみならず、広く健康の維持・増進に寄与している。現在では、中国や日本に限らず世界の多くの国々で西洋医学を補完する代替医療として取り入れられ、その有効性や作用機構の解明が進んでいる。
【０００３】
また、皮膚に針を刺入する方法だけでなく、先の尖った針や突起を有する皮膚刺激具によって、皮膚の表面のみを刺激する方法も有効であり、このような皮膚刺激具の一種に集毛針と呼ばれるものがある。集毛針は図７に示すような、一端に多数の針２０２を備えた筒状の器具であり、針２０２を皮膚に押しつけると、針２０２が筒体２０１の内部へ押し込まれ、筒体２０１の内部に設けられたコイルバネの弾性力により一定の力で皮膚を刺激できるようになっている。また、このような集毛針を改良したものとして特許文献１に記載のようなものがあり、これは針の代わりに先端の尖った山形状小突起を備えている。
【０００４】
しかし上記のような器具はいずれも、先端の尖った針や突起を備え、コイルバネの弾性力を利用して比較的強い刺激を与えることを目的としており、不慣れな人が使用すると皮膚に過度の刺激を加えてしまいがちであり、場合によっては皮膚を傷つけてしまうこともあった。更に、使用時にバネがカシャカシャと音を立て、使用者に不快感を与えていた。
【特許文献１】特開平11-169428号公報（[0004],図3）
【発明の開示】
【発明が解決しようとする課題】
【０００５】
本発明が解決しようとする課題は、皮膚を傷つけることなく適度な刺激を与えることができ、専門知識を持たない人でも気軽に使用できる皮膚刺激具を提供することである。
【課題を解決するための手段】
【０００６】
上記課題を解決するために成された本発明に係る皮膚刺激具は、
a)開口面を有するケースと、
b)板状の基台、及び該基台の片面に設けられた多数の突起を備え、該突起を上記開口面に向けた状態で一定範囲だけ摺動可能なように上記ケースに保持される突起板と、
c)上記ケースに内装され、上記突起板をケースの開口面に向かって付勢する、樹脂製あるいは金属製の板状部材を屈曲させて成る一つ以上の緩衝材と、
を備えることを特徴とする。
【発明の効果】
【０００７】
本発明の皮膚刺激具は、ショックを吸収するための緩衝材として樹脂製又は金属製の板状部材を屈曲させたもの、あるいは弾性を有する樹脂製のブロック等を使用することによって、突起を身体に押し当てた際の衝撃を十分に緩和すると共に、緩衝材の適度な反発力により皮膚に穏やかな刺激を加えることができるため、専門知識を持たない人でも家庭などで気軽に使用することができる。また、使用時の音が抑えられ、使用感が向上する。
【０００８】
また、突起板表面に設ける突起を、弾力のある毛様突起や、先端を丸めた円柱状の突起、あるいは先端を丸めた角錐状又は円錐状の突起とすれば、皮膚を傷つける恐れがなく安心して使用することができる。
【発明を実施するための最良の形態】
【０００９】
本発明の皮膚刺激具に係るケースは、開口面を有する中空構造とし、その形状及び大きさは任意であるが、片手で容易に把持できるものとする。
【００１０】
本発明の皮膚刺激具における緩衝材としては、弾性を有するゴム等の天然樹脂あるいは合成樹脂から成る板状部材２１を図２(a)のように屈曲させたものや、ステンレスやジュラルミンなどの薄い金属板２２を図２(b)〜(d)に示すように屈曲させたもの、あるいはシリコン樹脂などの弾性を有する樹脂２３を図２(e)に示すような扁平球状、あるいは球状やブロック状としたものを使用することができる。ゴムを使用する場合には、劣化を防ぐため、樹脂等によって表面をコーティングすることが望ましい。また、ステンレスやジュラルミンから成る板を使用する場合には厚さを0.1〜0.3mm程度とすることが望ましい。このような緩衝材２０の形状は上記に限らず、求める弾性力の強さに応じて様々な形状とすることができる。
【００１１】
突起板３０の表面に設けられる突起５０は、毛様突起５１、円柱状突起５２、あるいは歯状突起５３のいずれかとすることが望ましい。
毛様突起５１とは塩化ビニール等から成る、太さ0.3〜0.5mm、長さ10mm前後の、弾力のある毛様体を6〜10本ずつの束にし、各束の間隔が縦横共に約10mmとなるように基台４０上に植設したものである。各束は、図３(a)に示すように略中央で折り曲げた長さ20mm前後の毛様体を3〜5本ずつまとめた構成しても良い。植設後には毛様体の先端をカットせず、毛様体の長さにある程度変化を持たせた方が、皮膚に加わる圧力が分散されるため望ましい。また、各毛様突起５１の先端は皮膚を傷つけることがないように、研磨あるいは加熱処理によって丸くする。
円柱状突起５２とは硬質の樹脂から成る長さ15〜20mmほどの円柱状の突起であり、先端に向かってテーパー状になるよう形成し、先端部分は直径1.5〜2.0mmの半球状となるようにする。各突起の間隔は縦横共に約3〜5mmとする。
歯状突起５３は硬質の樹脂から成る、底面直径3〜5mm、高さ5mm程度の先端を丸めた円錐、あるいは同程度の底面積を持つ角錐を基台４０上に連続的又は断続的に配置したものであり、各突起の間隔は縦横共に約3〜5mmとする。
【００１２】
上記突起５０が設けられる基台４０は、硬質樹脂あるいはある程度の弾力を有する樹脂によって形成する。基台４０を弾力性のある樹脂で形成した場合、突起５０を身体に押しつけた際に体の凹凸に沿って基台４０が変形するため、体表面に均等に圧力を加えることができる。
【００１３】
なお、本発明の皮膚刺激具によって身体に加えられる刺激の強さは、上記のような緩衝材２０の素材や形状、基台４０の素材や突起５０の種類によって変化する。そのため、複数種の緩衝材２０や突起板３０を用意し、使用者の好みによってこれらを取り替えられるようにしても良い。
【００１４】
また、本発明の皮膚刺激具はケース内に電池６０及びモータ７０を設けた電動式のものとしても良い。この場合、図４に示すようにモータ７０のシャフト７１と基台４０をクランク機構８０によって連結し、モータの回転運動を利用して突起板３０を上下運動させる構成としても良く、あるいはモータ７０のシャフト７１に偏心錘を設け、モータの回転によって突起板３０を振動させる構成としても良い。
【００１５】
また、本発明の皮膚刺激具は図５に示すようにローラー式とすることもできる。ローラー９０は複数本設けても１本のみとしても良く、ローラー９０の表面には上記の毛様突起５１、円柱状突起５２、歯状突起５３のいずれかを設ける。ローラー９０の形状は体表面に沿うように、中央部をくびれさせた胴細型とすることが望ましい。その場合、ローラー９０の形状に合わせてケース１０の開口部の縁もカーブさせ、突起５０が身体に当接できるようにする。このようなローラー式の刺激具は広範囲を刺激するのに適している。また、ローラー９０は着脱可能とし、洗浄できるようにすると衛生上好ましい。
【００１６】
更に、本発明の皮膚刺激具には、図６に示すように棒状のハンドル１００を設けても良い。これにより手の届かない背部に対しても本発明の皮膚刺激具を用いることができ、人の手を借りることなく、全身を刺激できるようになる。このハンドル１００は着脱可能とし、更にジョイント部１０１を設けて分解できるようにすると収納の際に便利である。
【実施例】
【００１７】
以下、本発明の実施例について図面に基づいて説明する。図１は本実施例の皮膚刺激具を示す断面図である。基台４０は硬質の樹脂から成り、その表面に毛様突起５１が植設されている。毛様突起５１は研磨により先端を丸めた長さ20mmの塩化ビニール製の毛様体を略中央で折り曲げたものを使用する。緩衝材２０としては、ゴム板を断面が数字の３の形になるように加工したものを使用し、ゴムの表面は劣化を防ぐため、樹脂によってコーティングする。緩衝材２０は図１に示すように、ケース１０内部の左右に１つずつ設けられ、その上に突起板３０が載置される。突起板３０がケース１０の開口部から飛び出すのを防ぐため、開口部の縁を内側に折り曲げて、開口部の面積が基台４０よりも小さくなるようにする。
【００１８】
本実施例の皮膚刺激具は、ケース１０を手に持ち、毛様突起５１で軽く皮膚を叩くようにして使用する。この時、毛様突起５１に加えられた力が緩衝材２０によって緩和されると共に、緩衝材２０の反発力によって常に最適の力が皮膚に加えられる。また、毛様突起５１は適度な弾力を有しており、先端が丸められているため、身体に当接させた際に圧力が分散され皮膚を傷つける恐れがない。
【００１９】
本実施例の皮膚刺激具は広く全身に適用することができるが、使用者の症状に応じたツボや、患部の周辺を刺激するとより効果的である。このような物理的刺激をツボ等に加えることにより、周辺部の血行が促進されると共に、自律神経及びホルモンのバランスが整えられ、刺激する部位に応じて、梗塞等の血行障害や脳の退行性病変の予防、筋緊張の緩和、皮膚過敏症の鎮静化など様々な効果が得られる。例えば、図８(a)に示す天柱（てんちゅう）を刺激すると肩こりや眼精疲労、頭痛や高血圧の改善に効果がある。また、薄毛の改善を目的とする場合には、頭頂部のツボである百会（ひゃくえ）や、薄毛の気になる領域を中心に頭部全体を刺激することにより血行を促進し、毛根の活性化を促すことができる。また、図８(b)に示すように足に存在する陽輔（ようほ）や、付陽（ふよう）などのツボも頭部の血行促進に効果的である。このようなツボ等の刺激による効果を得るには、長期間継続して行うことが必要であるが、本実施例の皮膚刺激具は家庭などで気軽に使用できるため、このような皮膚刺激を習慣化することができる。
【図面の簡単な説明】
【００２０】
【図１】本発明の皮膚刺激具の実施例を示す断面図。
【図２】本発明に係る緩衝材の例を示す模式図。
【図３】本発明に係る突起を示す断面図。(a)毛様突起(b)円柱状突起(c)歯状突起。
【図４】本発明の皮膚刺激具を電動式とした例を示す断面図。
【図５】本発明の皮膚刺激具をローラー式とした例を示す図。(a)上面図、(b)(c)側面図。
【図６】本発明の皮膚刺激具にハンドルを設けた例を示す斜視図。
【図７】従来の皮膚刺激具の一種である集毛針を示す斜視図。
【図８】本発明の皮膚刺激具の適用箇所の例を示す図。
【符号の説明】
【００２１】
１０…ケース
２０…緩衝材
３０…突起板
４０…基台
５０…突起
５１…毛様突起
５２…円柱状突起
５３…歯状突起
６０…電池
７０…モータ
８０…クランク機構
９０…ローラー
１００…ハンドル
【図１】
2005143826.tif 000003
【図２】
2005143826.tif 000004
【図３】
2005143826.tif 000005
【図４】
2005143826.tif 000006
【図５】
2005143826.tif 000007
【図６】
2005143826.tif 000008
【図７】
2005143826.tif 000009
【図８】
2005143826.tif 000010